【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
対象となる無線システムが設置される又は設置の計画が立てられる複合システムの構造上のそれぞれの場所に複数の無線モニタ（１０２）のうちの一つ以上を設置することであって、複合システムは航空機または他の乗物であり、複合システムの構造は前記航空機または他の乗物の内装の少なくとも部分的に定義された構造を含む、設置すること、
対象となる無線システムをエミュレートして、複合システムの複数の動作条件にわたり一つ以上の記録された時間に対象となる無線システムの性能に関するデータを記録すること、
それぞれの記録されたデータ及び記録された時間と関連付けられ、さらに前記記録された時間での前記複合システムの前記複数の動作条件とさらに関連付けされる無線モニタ（１０２）のそれぞれの場所を含むデータを収集することであって、対象となる無線システムはエミュレートされ、データは複数の無線モニタ（１０２）により記録され収集される、データを収集すること、及び
収集されたデータに基づき対象となる無線システムの解析を実行することであって、解析は、データ解析システム（１０４）により実行され、その少なくとも一つの設計要求を満たす又は超える対象となる無線システムの構造を確立し、データ解析システム（１０４）は、複合システムの構造又は動作条件により、対象となる無線システムが少なくとも一つの設計要求により特定される無線リンク品質で作動できるかどうかを計算する、解析を実行すること、を含む方法。
【請求項２】
複数の無線モニタ（１０２）により、
対象となる無線システムの構造を少なくとも部分的に画定する一つ以上のパラメータ、又は複合システムの構造を少なくとも部分的に画定する一つ以上のパラメータを受信すること若しくは計算することをさらに含み、
データを収集することは、対象となる無線システム又は複合システムの一つ以上のパラメータを収集することをさらに含み、収集されたデータは、対象となる無線システム又は複合システムの一つ以上のパラメータをさらに含む、請求項１に記載の方法。
【請求項３】
設置することは、無線モニタ（１０２）が対象となる無線システムから分離されるように、無線モニタ（１０２）を設置することを含む、請求項１に記載の方法。
【請求項４】
設置することは、無線モニタ（１０２）が、複合システムに設置される対象となる無線システムに統合されかつピギーバックされるように、無線モニタ（１０２）を設置することを含む、請求項１に記載の方法。
【請求項５】
対象となる無線システムは、無線ハードウェアコンポーネントを含み、
設置することは、無線ハードウェアコンポーネントが設置される又は設置の計画が立てられる複合システム上の一つ以上の場所に、又は無線ハードウェアコンポーネントが通信するように構成された外部無線ハードウェアコンポーネントの一つ以上の場所に、無線モニタ（１０２）を設置することを含む、請求項１に記載の方法。
【請求項６】
データを収集することは、一つの指定された無線モニタ（２００）が、ノードモニタとして機能する一つ以上の他の無線モニタ（１０２）に問い合わせを行いかつそこから応答を受信する責任を負うハブモニタとして機能するハブアンドスポーク配置でデータを収集することを含む、請求項１に記載の方法。
【請求項７】
データを収集することは、一つ以上の無線モニタ（１０２）がハブモニタ又はノードモニタとして選択的に機能するメッシュ配置でデータを収集することを含み、ハブモニタは、一つ以上のノードモニタに問い合わせを行いかつそこから応答を受信する責任を負う、請求項１に記載の方法。
【請求項８】
設置すること、エミュレートすること及び収集することは、複合システムの複数の異なる構造について生じ、各構造は、異なる構造ごとに一つ以上が異なるパラメータにより少なくとも部分的に定義される、請求項１に記載の方法。
【請求項９】
設置すること、エミュレートすること及び収集することは、対象となる無線システムの複数の異なる構造について生じ、各構造は、異なる構造に対し一つ以上が異なるパラメータにより少なくとも部分的に定義される、請求項１に記載の方法。
【請求項１０】
対象となる無線システムが設置される又は設置の計画が立てられる複合システムの構造上のそれぞれの場所に設置可能である複数の無線モニタ（１０２）のうちの一つの無線モニタ（２００）であって、複合システムは航空機または他の乗物であり、複合システムの構造は前記航空機または他の乗物の内装の少なくとも部分的に定義された構造を含み、前記無線モニタ（２００）は、
無線（２０４）、
無線（２０４）に結合され、かつ無線（２０４）を制御して対象となる無線システムをエミュレートし、複合システムの複数の動作条件について一つ以上の記録された時間に対象となる無線システムの性能に関するデータを記録するように構成された制御モジュール（２０２）であって、データを記録するように構成された制御モジュール（２０２）は、複数の動作条件について一つ以上の記録された時間に無線リンク品質を計算するように構成されることを含む、制御モジュール（２０２）、及び
制御モジュール（２０２）に結合され、かつ記録されたデータ及び記録された時間に関連付けられ、さらに前記記録された時間での複合システムの前記複数の動作条件と関連付けられた、無線モニタ（２００）のそれぞれの場所を記憶するように構成されたデータストレージ（２０８）であって、前記複数の無線モニタはそれぞれの場所、並びにそれぞれの記録されたデータ及び記録された時間を含むデータを収集するように構成され、複数の無線モニタ（１０２）の収集されたデータはそれに基づく対象となる無線システムの解析のために回収可能である、データストレージ（２０８）を含み、
解析により、それの少なくとも一つの設計要求を満たす又は超える対象となる無線システムの構造を確立することができ、解析は、計算された無線リンク品質に基づいて、複合システムの構造又は動作条件により、対象となる無線システムが少なくとも一つの設計要求により特定される無線リンク品質で作動できるかどうかを計算することを含む、無線モニタ（２００）。
【請求項１１】
制御モジュール（２０２）は、対象となる無線システムの構造を少なくとも部分的に画定する一つ以上のパラメータ、又は複合システムの構造を少なくとも部分的に画定する一つ以上のパラメータを受信する若しくは計算するようにさらに構成され、
データストレージ（２０８）は、対象となる無線システム又は複合システムの一つ以上のパラメータを記憶するようにさらに構成され、収集されたデータは、対象となる無線システム又は複合システムの一つ以上のパラメータをさらに含む、請求項１０に記載の無線モニタ（２００）。
【請求項１２】
前記無線が、
対象となる前記無線システムを含む、一つ以上のそれぞれの無線システムの一つ以上の無線アクセス技術を実行するように構成された、ソフトウェアで定義された無線システムを有する、無線スタックと、
一つ以上のアンテナを経由して一つ以上の波形の一つ以上のネットワークパラメータの送信を引き起こし、受信し、及び測定するように動作するように構成された無線周波数及びサウンディング層（２０４ｂ）と
を有する、請求項１０に記載の無線モニタ（２００）。
【請求項１３】
制御モジュール（２０２）は、
無線（２０４）周波数及びサウンディング層（２０４ｂ）が動作するように構成される一つ以上の無線チャネルモデルを構築するように構成されたチャネルモデルコンストラクタ（２０２ａ）、及び
無線（２０４）周波数及びサウンディング層（２０４ｂ）により測定された一つ以上のネットワークパラメータに基づき、無線リンク品質を計算するように構成されたリンク品質エバリュエータを含む、請求項１２に記載の無線モニタ（２００）。
【請求項１４】
無線モニタ（２００）は、複合システムの異なる構造上に設置され、各構造は、異なる構造ごとに一つ以上が異なるパラメータにより少なくとも部分的に画定され、
制御モジュール（２０２）は、データを記録するように構成され、かつデータストレージ（２０８）は、構造ごとに記録されたデータを記憶するように構成され、複数の無線モニタ（１０２）は、構造ごとにデータを収集するようにさらに構成される、請求項１０に記載の無線モニタ（２００）。
【請求項１５】
制御モジュール（２０２）は、無線（２０４）を制御して対象となる無線システムの異なる構造をエミュレートするように構成され、各構造は、異なる構造ごとに一つ以上が異なるパラメータにより少なくとも部分的に画定され、
制御モジュール（２０２）は、データを記録するように構成され、かつデータストレージ（２０８）は、構造ごとに記録されたデータを記憶するように構成され、複数の無線モニタ（１０２）は、構造ごとにデータを収集するようにさらに構成される、請求項１０に記載の無線モニタ（２００）。
【手続補正２】
【補正対象書類名】明細書
【補正対象項目名】００８６
【補正方法】変更
【補正の内容】
【００８６】
これまでの説明および関連する添付図面に提示された教示の利点を有するこれらの開示に関係する当業者であれば、本開示の多数の変形例および他の実施形態が想起されよう。したがって、本発明は開示された特定の実施形態に限定されるものでなく、変形及び他の実施形態が添付の特許請求の範囲に包まれることを意図しているものと理解されるべきである。さらに、上の説明及び添付図面は、要素及び／又は機能の特定の組み合わせの点から実施形態を説明しているが、特許請求の範囲から逸脱せずに、別の実施形態によって要素及び／又は機能の異なる組み合わせが提供されてもよい。この点で、例えば、要素及び／又は機能の、上に明記したものとは異なる組み合わせも、特許請求の範囲の一部に明記されるものとして考慮される。本明細書では特定の用語を使用しているが、それらは、一般的及び説明的な意味でのみ使用されているのであって、限定を目的として使用されているのではない。
また、本願は以下に記載する態様を含む。
（態様１）
対象となる無線システムが設置される又は設置の計画が立てられる複合システムの構造上のそれぞれの場所に複数の無線モニタ（１０２）のうちの一つ以上を設置すること、
対象となる無線システムをエミュレートして、複合システムの複数の動作条件にわたり一つ以上の記録された時間に対象となる無線システムの性能に関するデータを記録すること、
それぞれの記録されたデータ及び記録された時間と関連付けられる無線モニタ（１０２）のそれぞれの場所を含むデータを収集することであって、対象となる無線システムはエミュレートされ、データは複数の無線モニタ（１０２）により記録され収集される、データを収集すること、及び
収集されたデータに基づき対象となる無線システムの解析を実行することであって、解析は、データ解析システム（１０４）により実行され、その少なくとも一つの設計要求を満たす又は超える対象となる無線システムの構造を確立し、データ解析システム（１０４）は、複合システムの構造又は動作条件により、対象となる無線システムが少なくとも一つの設計要求により特定される無線リンク品質で作動できるかどうかを計算する、解析を実行すること、を含む方法。
（態様２）
データを収集することは、記録された時間に複合システムの複数の動作条件にさらに関連付けられるそれぞれの記録されたデータを収集することを含み、収集されたデータは、複数の動作条件をさらに含む、態様１に記載の方法。
（態様３）
複数の無線モニタ（１０２）により、
対象となる無線システムの構造を少なくとも部分的に画定する一つ以上のパラメータ、又は複合システムの構造を少なくとも部分的に画定する一つ以上のパラメータを受信すること若しくは計算することをさらに含み、
データを収集することは、対象となる無線システム又は複合システムの一つ以上のパラメータを収集することをさらに含み、収集されたデータは、対象となる無線システム又は複合システムの一つ以上のパラメータをさらに含む、態様１に記載の方法。
（態様４）
設置することは、無線モニタ（１０２）が対象となる無線システムから分離されるように、無線モニタ（１０２）を設置することを含む、態様１に記載の方法。
（態様５）
設置することは、無線モニタ（１０２）が、複合システムに設置される対象となる無線システムに統合されかつピギーバックされるように、無線モニタ（１０２）を設置することを含む、態様１に記載の方法。
（態様６）
対象となる無線システムは、無線ハードウェアコンポーネントを含み、
設置することは、無線ハードウェアコンポーネントが設置される又は設置の計画が立てられる複合システム上の一つ以上の場所に、又は無線ハードウェアコンポーネントが通信するように構成された外部無線ハードウェアコンポーネントの一つ以上の場所に、無線モニタ（１０２）を設置することを含む、態様１に記載の方法。
（態様７）
データを収集することは、一つの指定された無線モニタ（２００）が、ノードモニタとして機能する一つ以上の他の無線モニタ（１０２）に問い合わせを行いかつそこから応答を受信する責任を負うハブモニタとして機能するハブアンドスポーク配置でデータを収集することを含む、態様１に記載の方法。
（態様８）
データを収集することは、一つ以上の無線モニタ（１０２）がハブモニタ又はノードモニタとして選択的に機能するメッシュ配置でデータを収集することを含み、ハブモニタは、一つ以上のノードモニタに問い合わせを行いかつそこから応答を受信する責任を負う、態様１に記載の方法。
（態様９）
設置すること、エミュレートすること及び収集することは、複合システムの複数の異なる構造ごとに生じ、各構造は、異なる構造ごとに一つ以上が異なるパラメータにより少なくとも部分的に画定される、態様１に記載の方法。
（態様１０）
対象となる無線システムが設置される又は設置の計画が立てられる複合システムの構造上のそれぞれの場所に設置可能である複数の無線モニタ（１０２）のうちの一つの無線モニタ（２００）であって、前記無線モニタ（２００）は、
対象となる無線システムを含むそれぞれの一つ以上の無線システムの一つ以上の無線（２０４）アクセス技術を実施するように構成された、ソフトウェア無線システムを備える無線スタック（２０４ａ）、及び
一つ以上のアンテナ（２０６）を介して一つ以上の波形の一つ以上のネットワークパラメータの送信を引き起こし、受信しかつ測定するため動作するように構成された無線（２０４）周波数及びサウンディング層（２０４ｂ）を備える無線（２０４）、
無線（２０４）に結合され、かつ無線（２０４）を制御して対象となる無線システムをエミュレートし、複合システムの複数の動作条件について一つ以上の記録された時間に対象となる無線システムの性能に関するデータを記録するように構成された制御モジュール（２０２）であって、データを記録するように構成された制御モジュール（２０２）は、複数の動作条件について一つ以上の記録された時間に無線リンク品質を計算するように構成されることを含む、制御モジュール（２０２）、及び
制御モジュール（２０２）に結合され、かつ記録されたデータ及び記録された時間に関連付けられた無線モニタ（２００）のそれぞれの場所を記憶するように構成されたデータストレージ（２０８）であって、複数の無線モニタはそれぞれの場所、並びにそれぞれの記録されたデータ及び記録された時間を含むデータを収集するように構成され、複数の無線モニタ（１０２）の収集されたデータはそれに基づく対象となる無線システムの解析のために回収可能である、データストレージ（２０８）を含み、
解析により、それの少なくとも一つの設計要求を満たす又は超える対象となる無線システムの構造を確立することができ、解析は、計算された無線リンク品質に基づいて、複合システムの構造又は動作条件により、対象となる無線システムが少なくとも一つの設計要求により特定される無線リンク品質で作動できるかどうかを計算することを含む、無線モニタ（２００）。
（態様１１）
データストレージ（２０８）は、記録された時間に複合システムの複数の動作条件にさらに関連付けられた記録されたデータを記憶するように構成され、収集されたデータは、複数の動作条件をさらに含む、態様１０に記載の無線モニタ（２００）。
（態様１２）
制御モジュール（２０２）は、対象となる無線システムの構造を少なくとも部分的に画定する一つ以上のパラメータ、又は複合システムの構造を少なくとも部分的に画定する一つ以上のパラメータを受信する若しくは計算するようにさらに構成され、
データストレージ（２０８）は、対象となる無線システム又は複合システムの一つ以上のパラメータを記憶するようにさらに構成され、収集されたデータは、対象となる無線システム又は複合システムの一つ以上のパラメータをさらに含む、態様１０に記載の無線モニタ（２００）。
（態様１３）
制御モジュール（２０２）は、
無線（２０４）周波数及びサウンディング層（２０４ｂ）が動作するように構成される一つ以上の無線チャネルモデルを構築するように構成されたチャネルモデルコンストラクタ（２０２ａ）、及び
無線（２０４）周波数及びサウンディング層（２０４ｂ）により測定された一つ以上のネットワークパラメータに基づき、無線リンク品質を計算するように構成されたリンク品質エバリュエータを含む、態様１０に記載の無線モニタ（２００）。
（態様１４）
無線モニタ（２００）は、複合システムの異なる構造上に設置され、各構造は、異なる構造ごとに一つ以上が異なるパラメータにより少なくとも部分的に画定され、
制御モジュール（２０２）は、データを記録するように構成され、かつデータストレージ（２０８）は、構造ごとに記録されたデータを記憶するように構成され、複数の無線モニタ（１０２）は、構造ごとにデータを収集するようにさらに構成される、態様１０に記載の無線モニタ（２００）。
（態様１５）
制御モジュール（２０２）は、無線（２０４）を制御して対象となる無線システムの異なる構造をエミュレートするように構成され、各構造は、異なる構造ごとに一つ以上が異なるパラメータにより少なくとも部分的に画定され、
制御モジュール（２０２）は、データを記録するように構成され、かつデータストレージ（２０８）は、構造ごとに記録されたデータを記憶するように構成され、複数の無線モニタ（１０２）は、構造ごとにデータを収集するようにさらに構成される、態様１０に記載の無線モニタ（２００）。